(57)【要約】【課題】本発明は、学校教育から専門家の演奏活動まで使用可能な高性能のハンドベルの提供にある。  【解決手段】グリップガード、ベルワン及びクラッパーから構成されるベル部とグリップ部とからなるハンドベルにおいて、前記クラッパーは、クラッパーボルト、クラッパーベース、クラッパーアーム及びクラッパーハンマーからなるハンドベル。【選択図】図１
2009014795.tif 000002
【特許請求の範囲】
【請求項１】
グリップガード、ベルワン及びクラッパーから構成されるベル部とグリップ部とからなるハンドベルにおいて、前記クラッパーは、クラッパーボルト、クラッパーベース、クラッパーアーム及びクラッパーハンマーからなるハンドベル。
【請求項２】
前記クラッパーベースは、上面に開口する接続孔を備え、前記クラッパーボルトの接続軸を嵌挿して一体化し、上部を横に横断し、かつ該外側面より外方に突出するクラッパーシャフトを貫通して備え、該クラッパーシャフトの左突出部と右突出部にクラッパーアームの上部を軸支し、下面に左右に離隔して開口する左凹陥収容部と右凹陥収容部を設け、クラッパー左ゴムとクラッパー右ゴムを夫々嵌入して下面に露出して配備してなる請求項１のハンドベル。
【請求項３】
前記クラッパーベースの左凹陥収容部と右凹陥収容部には、上面に開口する小径の左操作孔と右操作孔を連設してなる請求項２のハンドベル。
【請求項４】
前記クラッパーアームは、板金から所要の間隔を存して対面するアーム左側板部とアーム右側板部とその夫々の下端に接続するアーム底板部を構成し、該アーム左側板部とアーム右側板部の中間に差し渡した支板にクラッパー左調整スクリューとクラッパー右調整スクリューを螺合して架設してクラッパーアームのクラッパーシャフトを中心とする揺動角を調整自在に構成してなる請求項１又は請求項２のハンドベル。
【請求項５】
前記クラッパーアームは、アーム左側板部とアーム右側板部に夫々上下に移動自在でかつ定位置に固定が可能なクラッパー左ウエイトとクラッパー右ウエイトを配備してなる請求項４のハンドベル。
【請求項６】
前記クラッパー左ウエイトとクラッパー右ウエイトは、アーム左側板部とアーム右側板部に、夫々上下に縦長の左取付孔と右取付孔を開口設し、ウエイト取付ネジを外方から内方に夫々差入れ、先端を夫々クラッパー左ウエイトのネジ孔とクラッパー右ウエイトのネジ孔に螺合して締付けて上下に調整自在に配備してなる請求項５のハンドベル。
【請求項７】
前記クラッパーアームのアーム底板部には、中心にハンマー取付孔を開口し、該ハンマー取付孔に嵌挿するハンマーピンにより前記クラッパーハンマーを取付けてなる請求項４のハンドベル。
【請求項８】
前記クラッパーアームのアーム底板部には、ハンマー取付孔を中心に所要半径円上にお互いに所要角度齟齬して開口する停止孔を所要箇所設けてなる請求項７のハンドベル。
【請求項９】
前記クラッパーハンマーは、金属製のハンマーローター部とゴム製の打叩部とから構成してなる請求項１、請求項２、請求項３、請求項４、請求項５、請求項６、請求項７又は請求項８のいずれかの請求項であるハンドベル。
【請求項１０】
前記クラッパーハンマーは、ハンマーローター部の中心に前記クラッパーアームのアーム底板部のハンマー取付孔と一致する枢着取付孔を開口してなる請求項９のハンドベル。
【請求項１１】
ハンマーローター部に先端が前記アーム底板部の停止孔と一致するボールプランジャーを複数個上下に推進して調整自在に配備してなる請求項９又は請求項１０のハンドベル。
【請求項１２】
前記ハンマーピンは、一端はネジ孔が開口し、該ネジ孔に締付けボルトを螺合し、中間に座金、バネ座金を介在し、前記アーム底板部を上下から締付けて固着してなる請求項７のハンドベル。
【請求項１３】
前記クラッパーハンマーは、打叩部に同一形の減衰用透孔を、枢着取付孔を中心とする同一半径円上に所要角度齟齬して開口し、該減衰用透孔の部分をソフト打撃部に、打叩部の無垢部分をハード打撃部に構成してなる請求項１、請求項２、請求項３、請求項４、請求項５、請求項６、請求項７、請求項８又は請求項９のいずれかの請求項であるハンドベル。
【請求項１４】
前記グリップガードは、平板の中心に取付孔を備え、該取付孔の下半外側に、該取付孔より拡径し、下面から中間位置に中段天井面を備え、該中段天井面まで対応する軸部を嵌挿支持する連結孔を開口設してなる請求項１、請求項２、請求項３、請求項４、請求項５、請求項６、請求項７、請求項８又は請求項９のいずれかの請求項であるハンドベル。
【請求項１５】
前記ベルワンは、鐘形に形成し、下半を外開きに湾曲し、内面を打叩く面に構成し、頂面の中心に取付孔を備えた円筒形の接続フランジを上方に突出形成し、該接続フランジを前記ベルワンの連結孔に嵌挿してなる請求項１、請求項２、請求項３、請求項４、請求項５、請求項６、請求項７、請求項８又は請求項９のいずれかの請求項であるハンドベル。
【請求項１６】
前記クラッパーボルトの下端面より接続軸を突設し、該接続軸の中間に外止溝を環状に凹陥して形成してなる請求項１、請求項２、請求項３、請求項４、請求項５、請求項６、請求項７、請求項８又は請求項９のいずれかの請求項であるハンドベル。
【請求項１７】
前記グリップは、グリップベース、本革部を外側に樹脂部を重合した帯状板を、スプーン形に湾曲して構成されるグリップ部本体及び該グリップ部本体の両端の取付部に、上下及び左右に貫通して設けた上部取付孔と下部取付孔に夫々挿通し、両側から前記グリップベースに締付け固着する取付ネジとから構成してなる請求項１、請求項２、請求項３、請求項４、請求項５、請求項６、請求項７、請求項８又は請求項９のいずれかの請求項であるハンドベル。
【請求項１８】
前記クラッパーボルトは、グリップガードの対応部の一部とグリップベースの対応部の全部を異形面に形成し、中心に上端に開口を有する取付ネジ孔を軸方向に深く形成してなる請求項１、請求項２、請求項３、請求項４、請求項５、請求項６、請求項７、請求項８又は請求項９のいずれかの請求項であるハンドベル。
【請求項１９】
前記グリップベースは、方形体の中心に異形面軸受孔を縦貫し、前記クラッパーボルトを嵌挿し、回転不能のままスラスト自在に支持してなる請求項１、請求項２、請求項３、請求項４、請求項５、請求項６、請求項７、請求項８又は請求項９のいずれかの請求項であるハンドベル。
【請求項２０】
前記グリップベースは、前記中心に縦貫した異形面軸受孔を間に上面側と下面側とに前後に同位置で横に並列して横断する上部側取付ネジ孔と下部側取付ネジ孔を設け、グリップ部本体の取付部の外面から上部取付孔と下部取付孔に取付ネジを夫々挿通した後、該取付ネジの夫々の先端を前記上部側取付ネジ孔と下部側取付ネジ孔に夫々両側から螺合して取付けてなる請求項１、請求項２、請求項３、請求項４、請求項５、請求項６、請求項７、請求項８又は請求項９のいずれかの請求項であるハンドベル。
【発明の詳細な説明】
【技術分野】
【０００１】
本発明は、音楽演奏に広く使用されるハンドベルに関するものである。
【背景技術】
【０００２】
従来のハンドベルは、特許文献１に示すように、アルミニウム合金でベルが鋳造され、かつ該ベルに金属加工処理がなされて特定の周波数の音波を発生するように形成されたものが提案されている。
【０００３】
従来のハンドベルは、特許文献２に示すように、ベルの内底に設けた軸支部を中心として揺動可能のレバーにバネ棒型のクラッパーを支持しベル全体を揺動して作動するクラッパーによるベルの打叩音と、操作軸をハンドル内に貫通し該上端をハンドルから突出し反対の下端を前記レバーに連繋して配備し該操作軸のプッシュによるレバー進退で作動するクラッパーによるベルの打叩音を発生する幼児用の両用式ハンドルベルが提案されている。
【０００４】
従来のハンドベルは、特許文献３に示すように、一端にクラッパーを取付け、他端をベルに取付ける弾性材内に、ベルとクラッパーとの間を可撓性かつ非伸縮性の支持部材で連結してなるものが提案されている。
【特許文献１】特開平５−２５７４７９号公報
【特許文献２】実用新案登録第３０９６５９１号公報
【特許文献３】特開２００５−３０９０８８号公報
【発明の開示】
【発明が解決しようとする課題】
【０００５】
前記特許文献１に示す従来のハンドベルは、楽器として非常に優秀な音色に調律されたものの提供にあるが、機構的には従来の構成がそのまま踏襲されるものであった。
【０００６】
前記文献２に示す従来のハンドベルは、ハンドルを持っての揺動作動に加えて、ハンドルに突出する操作棒のプッシュ発音に新機軸がある。
【０００７】
特許文献３に示す従来のハンドベルは、クラッパーの自在な揺動性能を確保し、かつその耐久性の向上にあるが、ハンドベル製品の部品全般にわたる機能性と耐久性と軽量性を追求するものではなかった。
【０００８】
本発明は、係る従来のハンドベルの手工業的製品から部品の規格化による工業大量生産の適性と、互換性、交換性を図り、製造コストの低減とメンテナンスの容易化を図り、軽量化による演奏労力の軽減と運搬の容易化を併せて図り、学校教育での児童・生徒から専門家の演奏まで広く使用が可能な高性能のハンドベルの提供にある。
【課題を解決するための手段】
【０００９】
グリップガード、ベルワン及びクラッパーから構成されるベル部とグリップ部とから構成するハンドベルにおいて、前記クラッパーは、クラッパーボルト、クラッパーベース、クラッパーアーム及びクラッパーハンマーからなるハンドベルにある。
【００１０】
前記クラッパーベースは、上面に開口する接続孔を備え、前記クラッパーボルトの接続軸を嵌挿して一体化し、上部を横に横断し、かつ該外側面より外方に突出するクラッパーシャフトを貫通して備え、該クラッパーシャフトの左突出部と右突出部にクラッパーアームの上部を軸支し、下面に左右に離隔して開口する左凹陥収容部と右凹陥収容部を設け、クラッパー左ゴムとクラッパー右ゴムを夫々嵌入して下面に露出して配備してもよいものである。
【００１１】
前記クラッパーベースの左凹陥収容部と右凹陥収容部には、上面に開口する小径の左操作孔と右操作孔を連設してもよいものである。
【００１２】
前記クラッパーアームは、板金から所要の間隔を存して対面するアーム左側板部とアーム右側板部とその夫々の下端に接続するアーム底板部を構成し、該アーム左側板部とアーム右側板部の中間に差し渡した支板にクラッパー左調整スクリューとクラッパー右調整スクリューを螺合して架設してクラッパーアームのクラッパーシャフトを中心とする揺動角を調整自在に構成してもよいものである。
【００１３】
前記クラッパーアームは、アーム左側板部とアーム右側板部に夫々上下に移動自在でかつ定位置に固定が可能なクラッパー左ウエイトとクラッパー右ウエイトを配備してもよいものである。
【００１４】
前記クラッパー左ウエイトとクラッパー右ウエイトは、アーム左側板部とアーム右側板部に、夫々上下に縦長の左取付孔と左取付孔を開口設し、ウエイト取付ネジを外方から内方に夫々差入れ、先端を夫々クラッパー左ウエイトのネジ孔とクラッパー右ウエイトのネジ孔に螺合して締付けて上下に調整自在に配備してもよいものである。
【００１５】
前記クラッパーアームのアーム底板部には、中心にハンマー取付孔を開口し、該ハンマー取付孔に嵌挿するハンマーピンにより前記クラッパーハンマーを取付けてもよいものである。
【００１６】
前記クラッパーアームのアーム底板部には、ハンマー取付孔を中心に所要半径円上にお互いに所要角度齟齬して開口する停止孔を所要箇所設けてもよいものである。
【００１７】
前記クラッパーハンマーは、金属製のハンマーローター部とゴム製の打叩部とから構成してもよいものである。
【００１８】
前記クラッパーハンマーは、ハンマーローター部の中心に前記クラッパーアームのアーム底板部のハンマー取付孔と一致する枢着取付孔を開口してもよいものである。
【００１９】
ハンマーローター部に先端が前記アーム底板部の停止孔と一致するボールプランジャーを複数個上下に推進して調整自在に配備してもよいものである。
【００２０】
前記ハンマーピンは、一端はネジ孔が開口し、該ネジ孔に締付けボルトを螺合し、中間に座金、バネ座金を介在し、前記アーム底板部を上下から締付けて固着してもよいものである。
【００２１】
前記クラッパーハンマーは、打叩部に同一形の減衰用透孔を、枢着取付孔を中心とする同一半径円上に所要角度齟齬して開口し、該減衰用透孔の部分をソフト打撃部に、打叩部の無垢部分をハード打撃部に構成してもよいものである。
【００２２】
前記グリップガードは、平板の中心に取付孔を備え、該取付孔の下半外側に、該取付孔より拡径し、下面から中間位置に中段天井面を備え、該中段天井面まで対応する軸部を嵌挿支持する連結孔を開口設してもよいものである。
【００２３】
前記ベルワンは、鐘形に形成し、下半を外開きに湾曲し、内面を打叩く面に構成し、頂面の中心に取付孔を備えた円筒形の接続フランジを上方に突出形成し、該接続フランジを前記ベルワンの連結孔に嵌挿してもよいものである。
【００２４】
前記クラッパーボルトの下端面より接続軸を突設し、該接続軸の中間に外止溝を環状に凹陥して形成してもよいものである。
【００２５】
前記グリップは、グリップベース、本革部を外側に樹脂部を重合した帯状板をスプーン形に湾曲して構成されるグリップ部本体及び該グリップ部本体の両端の取付部に、上下及び左右に貫通して設けた上部取付孔と下部取付孔に夫々挿通し、両側から前記グリップベースに締付け固着する取付ネジとから構成してもよいものである。
【００２６】
前記クラッパーボルトは、グリップガードの対応部の一部とグリップベースの対応部の全部を異形面に形成し、中心に上端に開口を有する取付ネジ孔を軸方向に深く形成してもよいものである。
【００２７】
前記グリップベースは、方形体の中心に異形面軸受孔を縦貫し、前記クラッパーボルトを嵌挿し、回転不能のままスラスト自在に支持してもよいものである。
【００２８】
前記グリップベースは、前記中心に縦貫した異形面軸受孔を間に上面側と下面側とに前後に同位置で横に並列して横断する上部側取付ネジ孔と下部側取付ネジ孔を設け、グリップ部本体の取付部の外面から上部取付孔と下部取付孔に取付ネジを夫々挿通した後、該取付ネジの夫々の先端を前記上部側取付ネジ孔と下部側取付ネジ孔に夫々両側から螺合して取付けてもよいものである。
【発明の効果】
【００２９】
ベル部については、クラッパーアームを薄板金にすることで、軽量化を図り、演奏・運搬における労力の軽減に寄与することができた。
【００３０】
従来のハンドベルでは、オープンゴムのため、劣化しやすく、劣化に伴い反発力が不安定であったが、本発明のストッパー用ゴムはクラッパーベース内に納めるから反発性の安定化と劣化防止を達成した。
【００３１】
クラッパーアームにウエイト（重り）を取付けるからこれを上下に調整することにより振りの感覚と、ハンマーの打叩く感を個別に調整可能となった。
【００３２】
クラッパーベースに打叩機構の全てが集結する構造にしたから分解・清掃が著しく容易になった。
【００３３】
クラッパーハンマーのハード打撃とソフト打撃の切替が容易にできるようになった。
【００３４】
従来の製品では、サイズごとに細分化され、交換用に多種、多数個のスペアパーツを保管・在庫しなければならなかったが、本発明のハンドベルではクラッパーアーム以外の部品は、全て共通品とし、互換性・交換性に優れたものとなった。
【００３５】
グリップについては、グリップベースとクラッパーベースの位置決めを簡単な構造とし、分解・組立をビス一本で行え、音色も元通りに再現できる。
【００３６】
グリップ部本体を、本革と樹脂の二重構造として、樹脂により一定の弾性を確保し、なお且つ本革により手に馴染み易く耐久性の確保を図れた。
【００３７】
耐久性を延長できたが、皮革は材質から消耗品であるため、ネジ締め構造としてグリップのみの交換を容易におこなえるようにした。
【００３８】
クランパーボルトをグリップ取付部に共締めする構造をとることで、グリップ交換時にある音域専用のグリップを選択する必要がない。音域すべてが、共通グリップなので、スペアパーツは最低限で足りる効果がある。
【発明を実施するための最良の形態】
【００３９】
グリップガード、ベルワン及びクラッパーから構成されるベル部とグリップ部とから構成するハンドベルにおいて、前記クラッパーベースは、上面に開口する接続孔を備え、前記クラッパーボルトの接続軸を嵌挿して一体化し、上部を横に横断し、かつ該外側面より外方に突出するクラッパーシャフトを貫通して備え、該クラッパーシャフトの左突出部と右突出部にクラッパーアームの上部を軸支し、下面に左右に離隔して開口する左凹陥収容部と右凹陥収容部を設け、クラッパー左ゴムとクラッパー右ゴムを夫々嵌入して下面に露出して配備し、前記クラッパーベースの左凹陥収容部と右凹陥収容部には、上面に開口する小径の左操作孔と右操作孔を連設し、前記クラッパーアームは、板金から所要の間隔を存して対面するアーム左側板部とアーム右側板部とその夫々の下端に接続するアーム底板部を構成し、該アーム左側板部とアーム右側板部の中間に差し渡した支板にクラッパー左調整スクリューとクラッパー右調整スクリューを螺合して架設してクラッパーアームのクラッパーシャフトを中心とする揺動角を調整自在に構成し、前記クラッパーアームは、アーム左側板部とアーム右側板部に夫々上下に移動自在でかつ定位置に固定が可能なクラッパー左ウエイトとクラッパー右ウエイトを配備し、前記クラッパーアームのアーム底板部には、中心にハンマー取付孔を開口し、該ハンマー取付孔に嵌挿するハンマーピンにより前記クラッパーハンマーを取付け、前記クラッパーアームのアーム底板部には、ハンマー取付孔を中心に所要半径円上にお互いに所要角度齟齬して開口する停止孔を所要箇所設け、前記クラッパーハンマーは、金属製のハンマーローター部とゴム製の打叩部とから構成し、前記クラッパーハンマーは、ハンマーローター部の中心に前記クラッパーアームのアーム底板部のハンマー取付孔と一致する枢着取付孔を開口し、ハンマーローター部に先端が前記アーム底板部の停止孔と一致するボールプランジャーを複数個上下に推進して調整自在に配備し、前記クラッパーハンマーは、打叩部に同一形の減衰用透孔を、枢着取付孔を中心とする同一半径円上に所要角度齟齬して開口し、該減衰用透孔の部分をソフト打撃部に、打叩部の無垢部分をハード打撃部に構成し、前記グリップガードは、平板の中心に取付孔を備え、該取付孔の下半外側に、該取付孔より拡径し、下面から中間位置に中段天井面を備え、該中段天井面まで対応する軸部を嵌挿支持する連結孔を開口設し、前記ベルワンは、鐘形に形成し、下半を外開きに湾曲し、内面を打叩く面に構成し、頂面の中心に取付孔を備えた円筒形の接続フランジを上方に突出形成し、該接続フランジを前記ベルワンの連結孔に嵌挿し、前記クラッパーボルトの下端面より接続軸を突設し、前記グリップは、グリップベース、本革部を外側に樹脂部を重合した帯状板をスプーン形に湾曲して構成されるグリップ部本体及び該グリップ部本体の両端の取付部に、上下及び左右に貫通して設けた上部取付孔と下部取付孔に夫々挿通し、両側から前記グリップベースに締付け固着する取付ネジとから構成し、前記クラッパーボルトは、グリップガードの対応部の一部とグリップベースの対応部の全部を異形面に形成し、中心に上端に開口を有する取付ネジ孔を軸方向に深く形成し、前記グリップベースは、方形体の中心に異形面軸受孔を縦貫し、前記クラッパーボルトを嵌挿し、回転不能のままスラスト自在に支持し、前記グリップベースは、前記中心に縦貫した異形面軸受孔を間に上面側と下面側とに前後に同位置で横に並列して横断する上部側取付ネジ孔と下部側取付ネジ孔を設け、グリップ部本体の取付部の外面から上部取付孔と下部取付孔に取付ネジを夫々挿通した後、該取付ネジの夫々の先端を前記上部側取付ネジ孔と下部側取付ネジ孔に夫々両側から螺合して取付けてなるハンドベル。
【実施例】
【００４０】
以下、本発明のハンドベルを実施例である図面により説明すると、実施例のハンドベル１は、ベル部２とグリップ部３とから構成する。
【００４１】
前記ベル部２は、グリップガード４、ベルワン５及びクラッパー６から構成する。
【００４２】
前記グリップ部３は、グリップベース７、本革部８ａを外側に樹脂部８ｂを重合した帯状板をスプーン形に湾曲して構成されるグリップ部本体８及び該グリップ部本体８の両端の取付部８ｃに、上下及び左右に貫通して設けた上部取付孔８ｄと下部取付孔８ｅに夫々挿通し、両側から前記グリップベース７に締付け固着する取付ネジ９とから構成する。
【００４３】
前記グリップガード４は、平板の中心に取付孔１０を備え、該取付孔１０の下半外側に、該取付孔１０より拡径し、下面から中間位置に中段天井面１１ａを備え、該中段天井面１１ａまで対応する軸部を嵌挿支持する連結孔１１を開口設する。
【００４４】
前記ベルワン５は、鐘形に形成し、下半を外開きに湾曲し、内面を打叩面に構成し、頂面の中心に取付孔１２を備えた円筒形の接続フランジ１３を上方に突出形成する。該接続フランジ１３を前記ベルワン５の連結孔１１に嵌挿する。
【００４５】
前記クラッパー６は、クラッパーボルト１４、クラッパーベース１５、クラッパーアーム１６及びクラッパーハンマー１７から構成する。
【００４６】
クラッパーボルト１４の下端面１４ａより接続軸１４ａ１を突設し、該接続軸１４ａ１において先端との中間に外止溝１４ａ２を環状に凹陥して形成する。
【００４７】
前記クラッパーベース１５は、上面１５ａに開口する接続孔１５ｂを備え、前記クラッパーボルト１４の接続軸１４ａ１を嵌挿し、配備したスクリューネジ１８の先端を前記接続軸１４ａ１の外止溝１４ａ２に嵌入し一体化しいている。
【００４８】
前記クラッパーベース１５は、上部を横に横断し、かつ該外側面より外方に突出するクラッパーシャフト１９を貫通して備え、該クラッパーシャフト１９の左突出部１９ａと右突出部１９ｂにクラッパーアーム１６の上部を軸支している。
【００４９】
前記クラッパーベース１５は、下面に左右に離隔して開口する左凹陥収容部１５ｃ、右凹陥収容部１５ｄを設け、該左凹陥収容部を１５ｃと右凹陥収容部１５ｄにクラッパー左ゴム２０ａとクラッパー右ゴム２０ｂを夫々嵌入して、クラッパーベース１５の下面に露出して配備する。
【００５０】
前記左凹陥収容部１５ｃと右凹陥収容部１５ｄには、クラッパーベース１５の上面１５ａに開口する小径の左操作孔１５ｃ１と右操作孔１５ｄ１を連設し、クラッパー左ゴム２０ａ、クラッパー右ゴム２０ｂの嵌入時に左凹陥収容部１５ｃと右凹陥収容部１５ｄの内の空気を夫々排出し、クラッパー左ゴム２０ａとクラッパー右ゴム２０ｂの交換時には、左操作孔１５ｃ１と右操作孔１５ｄ１に押出棒（図示しない）を入れてクラッパー左ゴム２０ａ、クラッパー右ゴム２０ｂを夫々押し出すことができる。
【００５１】
前記クラッパーアーム１６のアーム左側板部１６ａとアーム右側板部１６ｂに差し渡した支板２１にクラッパー左調整スクリュー２２ａとクラッパー右調整スクリュー２２ｂを螺合して架設し、各先端を対応する前記クラッパー左ゴム２０ａとクラッパー右ゴム２０ｂに衝突させてクラッパーアーム１６のクラッパーシャフト１９を中心とする揺動角を調整自在に構成している。
【００５２】
前記クラッパーアーム１６のアーム左側板部１６ａとアーム右側板部１６ｂには、夫々上下に移動自在で、かつ定位置に固定が可能なクラッパー左ウエイト２３ａとクラッパー右ウエイト２３ｂを配備している。
【００５３】
前記クラッパー左ウエイト２３ａとクラッパー右ウエイト２３ｂは、アーム左側板部１６ａとアーム右側板部１６ｂには、夫々上下に縦長の左取付孔２４ａと右取付孔２４ｂを開口設し、ウエイト取付ネジ２５を外方から内方に夫々差入れ、先端を夫々クラッパー左ウエイト２３ａのネジ孔２３ａ１とクラッパー右ウエイト２３ｂのネジ孔２３ｂ１に螺合して締付けて上下に調整自在に配備している。
【００５４】
前記クラッパーアーム１６のアーム左側板部１６ａの下端とアーム右側板部１６ｂの下端とに９０度折曲して接続するアーム底板部１６ｃは、中心にハンマー取付孔２６を開口し、該ハンマー取付孔２６に嵌挿するハンマーピン２７により前記クラッパーハンマー１７を取付ける。
【００５５】
前記アーム底板部１６ｃには、ハンマー取付孔２６を中心に所要半径円上にお互いに９０度齟齬して開口する停止孔２８を４箇所設ける。
【００５６】
前記クラッパーハンマー１７は、ステンレス製のハンマーローター部１７ａとウレタンゴム製の打叩部１７ｂとが互いに密嵌して設ける。
【００５７】
前記クラッパーハンマー１７は、ハンマーローター部１７ａの中心に前記クラッパーアーム１６のアーム底板部１６ｃのハンマー取付孔２６と一致する枢着取付孔２９を開口すると共に、先端が前記停止孔２８と同芯のボールプランジャー３０ａ、３０ｂを上下に推進して調整自在に配備している。
【００５８】
前記ハンマーピン２７は、一端はネジ孔３５が開口し、該ネジ孔３５に締付けボルト３１を螺合し、中間に座金３２、バネ座金３３を介在し、前記アーム底板部１６ｃを上下から締付けて固着する。
【００５９】
締付けボルト３１を緩めてボールプランジャー３０ａ、３０ｂの先端と停止孔２８の係合を緩めると、係合が浅くなるから、クラッパーハンマー１７を手で軽く握って回転すると、ボールプランジャー３０ａ、３０ｂの先端は、停止孔２８から外れてハンマーピン２７を中心に回転することができ、９０度回転すると、再び、ボールプランジャー３０ａ、３０ｂの先端を停止孔２８に対応すると僅か係合するので、強く回さない限り停止し、この状態で再び締付けボルト３１を締付け、ボールプランジャー３０ａ、３０ｂの先端を停止孔２８に完全に係合し、また、アーム底板部１６ｃにクラッパーハンマー１７を締付けて両者を一体的に固着する。
【００６０】
クラッパーハンマー１７の打叩部１７ｂに同一形の減衰用透孔３４を、枢着取付孔２９を中心とする同一半径円上に１８０度齟齬して開口し、該減衰用透孔３４の部分をソフト打撃部１７ｂ１に、打叩部１７ｂの無垢部分をハード打撃部１７ｂ２に構成している。前記クラッパーハンマー１７の９０度回転と締付けは、このソフト打撃部１７ｂ１とハード打撃部１７ｂ２の切替である。
【００６１】
前記クラッパーボルト１４は、グリップガード４の対応部の一部とグリップベース７の対応部の全部を異形面１４ｂに形成し、グリップベース７に対して回転不能のままスラスト自在に構成し、また、中心に上端に開口を有する取付ネジ孔３６を軸方向に深く形成している。
【００６２】
グリップ取付ボルト３７は、グリップベース７の上面７ａに頭部座面を、座金３８を介在して連接し、ネジ部をクラッパーボルト１４の取付ネジ孔３６に螺合し、クラッパーボルト１４を締め上げるから、グリップボルト１４を引上げ、これと一体のクラッパーベース１５を引上げ、クラッパーカラー３８を介してベルワン５を引上げ、該ベルワン５の接続フランジ１３の上端をグリップガード４の連結孔１１の中段天井面１１ａに連接して下方から引上力を支え、反対のグリップガード４の上面４ａには、前記グリップベース７の下面７ｂを連接して上方からの押圧力を支え全体を固着するものである。
【００６３】
前記グリップベース７は、方形体の中心に異形面軸受孔７ｃを縦貫し、前記クラッパーボルト１４を嵌挿し、回転不能のままスラスト自在に支持する。
【００６４】
前記グリップベース７は、前記中心に縦貫した異形面軸受孔７ｃを間に上面側と下面側とに前後に同位置で横に並列して横断する上部側取付ネジ孔７ｄと下部側取付ネジ孔７ｅを設け、グリップ部本体８の取付部８ｃの外面から上部取付孔８ｄと下部取付孔８ｅに取付ネジ９を夫々挿通した後、該取付ネジ９の夫々の先端を前記上部側取付ネジ孔７ｄと下部側取付ネジ孔７ｅに夫々両側から螺合して取付ける。
【産業上の利用可能性】
【００６５】
本発明のハンドベルは、前述のようになるから、工業大量生産上の適性を具備して製造コストの低減、製品の軽量化による演奏労力の軽減と運搬の容易化、部品の互換性、交換性から生産性の向上とメンテナンスの容易化を併せて図るものである。
【００６６】
よって、本発明のハンドベルは、ハンドベル音楽の演奏及び器具のメンテナンスに革新的効果を奏するものである。
【図面の簡単な説明】
【００６７】
【図１】本発明のハンドベルの実施例を示す正面断面説明図である。
【図２】同じく、本発明のハンドベルの実施例を示す側面断面説明図である。
【図３】クラッパーベース単体の拡大説明図である。
【図４】クラッパーハンマーの転回固定機構の実施例において、クラッパーハンマー及びクラッパーアームを示す平面図ある。
【図５】同じく、クラッパーアーム単体の拡大底面図である。
【符号の説明】
【００６８】
１  実施例のハンドベル
２  ベル部
３  グリップ部
４  グリップガード
４ａ  上面
５  ベルワン
５ａ  内面
６  クラッパー
７  グリップベース
７ａ  上面
７ｂ  下面
７ｃ  異形面軸受孔
７ｄ  上部側取付ネジ孔
７ｅ  下部側取付ネジ孔
８  グリップ部本体
８ａ  本革部
８ｂ  樹脂部
８ｃ  取付部
８ｄ  上部取付孔
８ｅ  下部取付孔
９  取付ネジ
１０  取付孔
１１  連結孔
１１ａ  中段天井面
１２  取付孔
１３  接続フランジ
１４  クラッパーボルト
１４ａ  下端面
１４ａ１  接続軸
１４ａ２  外止溝
１４ｂ  異形面
１５  クラッパーベース
１５ａ  上面
１５ｂ  接続孔
１５ｃ  左凹陥収容部
１５ｃ１  左操作孔
１５ｄ  右凹陥収容部
１５ｄ１  右操作孔
１６  クラッパーアーム
１６ａ  アーム左側板部
１６ｂ  アーム右側板部
１６ｃ  アーム底板部
１７  クラッパーハンマー
１７ａ  ハンマーローター部
１７ｂ  打叩部
１７ｂ１  ソフト打撃部
１７ｂ２ハード打撃部
１８  スクリューネジ
１９  クラッパーシャフト
１９ａ  左突出部
１９ｂ  右突出部
２０ａ  クラッパー左ゴム
２０ｂ  クラッパー右ゴム
２１  支板
２２ａ  クラッパー左調整スクリュー
２２ｂ  クラッパー右調整スクリュー
２３ａ  クラッパー左ウエイト
２３ａ１  ネジ孔
２３ｂ  クラッパー右ウエイト
２３ｂ１  ネジ孔
２４ａ  左取付孔
２４ｂ  右取付孔
２５  ウエイト取付ネジ
２６  ハンマー取付孔
２７  ハンマーピン
２８  停止孔
２９  枢着取付孔
３０ａ  ボールプランジャー
３０ｂ  ボールプランジャー
３１  締付けボルト
３２  座金
３３  バネ座金
３４  減衰用透孔
３５  取付ネジ孔
３６  取付ネジ孔
３７  グリップ取付ボルト
３８  座金
３９  クラッパーカラー
【図１】
2009014795.tif 000003
【図２】
2009014795.tif 000004
【図３】
2009014795.tif 000005
【図４】
2009014795.tif 000006
【図５】
2009014795.tif 000007